(57)【要約】【課題】不規則な閉図形を含むユニットパターンの結合により、不規則な（ランダム）メッシュパターンを形成することで、電極パターン間の交差またはディスプレイのブラックマトリックスとの関係で発生しうるモアレ現象を防止してタッチセンサの視認性を向上させることができるタッチセンサを提供する。【解決手段】本発明のタッチセンサは、ベース基板と、前記ベース基板上に形成された電極パターンと、を含み、前記電極パターンは、少なくとも一つ以上のユニットパターン２２１が連続的に連結されてなり、ユニットパターン２２１内には閉図形２２１ｃが不規則に配列されるものである。【選択図】図４
2015170353.tif 000002
【特許請求の範囲】
【請求項１】
ベース基板と、
前記ベース基板上に形成された電極パターンと、を含み、
前記電極パターンは、少なくとも一つ以上のユニットパターンが連続的に連結されてなり、前記ユニットパターン内には閉図形が不規則に配列される、タッチセンサ。
【請求項２】
前記ユニットパターンは、多角形に形成された少なくとも一つ以上の前記閉図形が不規則に配列されてなる、請求項１に記載のタッチセンサ。
【請求項３】
前記ユニットパターンにおいて、前記閉図形の頂点の個数と、前記閉図形と同じ個数の四角形の頂点の個数とが互いに異なる、請求項２に記載のタッチセンサ。
【請求項４】
前記ユニットパターンは、互いに隣接するユニットパターン間を電気的に連結するための少なくとも一つ以上の金属細線を含む、請求項１に記載のタッチセンサ。
【請求項５】
ベース基板と、
前記ベース基板上に形成された電極パターンと、を含み、
前記電極パターンは、少なくとも一つ以上のユニットパターンが連続的に連結されてなり、前記ユニットパターン内には閉図形が不規則に配列され、
前記ユニットパターンは、前記閉図形を形成する少なくとも一つ以上の金属細線と、前記金属細線を囲む周縁辺と、を含み、互いに隣接する前記ユニットパターン間の前記金属細線が互いに電気的に連結される、タッチセンサ。
【請求項６】
前記電極パターンは、互いに異なる閉図形を有する少なくとも二つ以上のユニットパターンが連続的に連結されてなる、請求項５に記載のタッチセンサ。
【請求項７】
前記電極パターンは、同じ閉図形を有する少なくとも二つ以上のユニットパターンが連続的に連結されてなる、請求項５に記載のタッチセンサ。
【請求項８】
前記ユニットパターンにおいて、前記金属細線と前記周縁辺とが接する連結点が前記周縁辺に少なくとも一つ以上形成され、互いに隣接する前記ユニットパターン間の互いに対応する前記連結点を介して前記金属細線が電気的に連結される、請求項５に記載のタッチセンサ。
【請求項９】
前記ユニットパターンにおいて、前記金属細線と前記周縁辺とが接する連結点が前記周縁辺の中心点に形成される、請求項８に記載のタッチセンサ。
【発明の詳細な説明】
【技術分野】
【０００１】
本発明は、タッチセンサに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を用いてテキストおよびグラフィック処理を行う。
【０００３】
しかし、情報化社会の急速な進行により、コンピュータの用途が益々拡大する傾向にあるため、現在、入力装置の役割を担当しているキーボードおよびマウスだけでは、効率的な製品の駆動が困難であるという問題がある。従って、簡単で誤操作が少なく、誰でも簡単に情報を入力することができる機器の必要性が高まっている。
【０００４】
また、入力装置に関する技術は、一般的な機能を満たす水準を超えて、高信頼性、耐久性、革新性、設計および加工に関する技術などが注目されており、このような目的を達成するために、テキスト、グラフィックなどの情報入力が可能な入力装置として、タッチセンサ（ｔｏｕｃｈ  ｓｅｎｓｏｒ）が開発された。
【０００５】
かかるタッチセンサは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置およびＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
なお、タッチセンサの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）および赤外線方式（Ｉｎｆｒａｒｅｄ  Ｔｙｐｅ）に区分される。このような様々な方式のタッチセンサは、信号増幅の問題、解像度の差、設計および加工技術の難易度、光学的特性、電気的特性、機械的特性、耐環境特性、入力特性、耐久性および経済性を考慮して電子製品に採用されるが、現在、最も幅広い分野で用いられている方式は、抵抗膜方式タッチセンサおよび静電容量方式タッチセンサである。
【０００７】
従来、特許文献１のように、メッシュパターンをタッチセンサの電極パターンとして使用する場合、規則的なメッシュ形状によるモアレ現象が発生する問題があった。かかるモアレ現象は、タッチセンサの電極パターンをユーザが認識するようにしてタッチセンサの全体視認性を低減する問題があった。また、メッシュパターンを形成する規則的な金属パターンによって発生するモアレ現象は、タッチセンサの全体視認性に影響を与えるため、ディスプレイから出力された映像およびその他の関連出力映像の画質の鮮明度やその他の映像の信頼度を低下させる問題があった。
【先行技術文献】
【特許文献】
【０００８】
【特許文献１】米国特許出願公開第２０１２／００６２５１０号明細書
【発明の概要】
【発明が解決しようとする課題】
【０００９】
本発明は、上述した従来技術の問題を解決するためのものであり、不規則な閉図形を含むユニットパターンの結合により、不規則な（ランダム）メッシュパターンを形成することで、電極パターン間の交差またはディスプレイのブラックマトリックスとの関係で発生しうるモアレ現象を防止してタッチセンサの視認性を向上させることができるタッチセンサを提供することを目的とする。
【課題を解決するための手段】
【００１０】
本発明によるタッチセンサは、ベース基板と、前記ベース基板上に形成された電極パターンと、を含み、前記電極パターンは、少なくとも一つ以上のユニットパターンが連続的に連結されてなり、前記ユニットパターン内には閉図形が不規則に配列されるものである。
【００１１】
また、前記ユニットパターンは、多角形に形成された少なくとも一つ以上の前記閉図形が不規則に配列されてなることができる。
【００１２】
また、前記ユニットパターンにおいて、前記閉図形の頂点の個数と、前記閉図形と同じ個数の四角形の頂点の個数とが互いに異なるタッチセンサである。
【００１３】
また、前記ユニットパターンは、互いに隣接するユニットパターン間を電気的に連結するための少なくとも一つ以上の金属細線を含むことができる。
【００１４】
また、本発明によるタッチセンサは、ベース基板と、前記ベース基板上に形成された電極パターンと、を含み、前記電極パターンは、少なくとも一つ以上のユニットパターンが連続的に連結されてなり、前記ユニットパターン内には閉図形が不規則に配列され、前記ユニットパターンは、前記閉図形を形成する少なくとも一つ以上の金属細線と、前記金属細線を囲む周縁辺と、を含み、互いに隣接する前記ユニットパターン間の前記金属細線が互いに電気的に連結されるものである。
【００１５】
また、前記電極パターンは、互いに異なる閉図形を有する少なくとも二つ以上のユニットパターンが連続的に連結されてなることができる。
【００１６】
また、前記電極パターンは、同じ閉図形を有する少なくとも二つ以上のユニットパターンが連続的に連結されてなることができる。
【００１７】
また、前記ユニットパターンにおいて、前記金属細線と前記周縁辺とが接する連結点が前記周縁辺に少なくとも一つ以上形成され、互いに隣接する前記ユニットパターン間の互いに対応する前記連結点を介して前記金属細線が電気的に連結されることができる。
【００１８】
また、前記ユニットパターンにおいて、前記金属細線と前記周縁辺とが接する連結点が前記周縁辺の中心点に形成されることができる。
【発明の効果】
【００１９】
本発明によれば、タッチセンサの電極パターンをユーザが認識することを低減することで、タッチセンサの全体視認性を向上させることができる。
【００２０】
また、金属メッシュパターン同士の間で発生しうるモアレ現象を防止することで、電極パターンの視認性を低減して、タッチセンサの全体視認性を向上させることができる。
【００２１】
また、タッチセンサに結合するディスプレイ部上のブラックマトリックスと電極パターンが重なることで発生しうるモアレ現象を予め防止することで、ディスプレイ部から出力される映像の画質をより改善することができる。
【００２２】
また、本発明によるタッチセンサの電極パターンは、多角形の閉図形が不規則に配列されたユニットパターンの連続的な連結により不規則な（ランダム）メッシュパターンに形成されることで、大面積の電極パターンの形成工程を単純化し、工程時間を短縮することができ、且つ、サイズ分布が均一で重複しない不規則なメッシュパターンにより、前記電極パターンの視認性を改善することができる。
【図面の簡単な説明】
【００２３】
【図１】本発明の実施例によるタッチセンサを示す図である。
【図２】本発明の実施例によるタッチセンサの電極パターンを示す図である。
【図３】従来の規則的なメッシュパターンに形成される電極パターンで発生しうるモアレ現象を示す図である。
【図４】本発明の実施例による同じ閉図形を有するユニットパターンが結合した不規則なメッシュパターンを示す図である。
【図５】本発明の実施例による互いに異なる閉図形を有するユニットパターンが結合した不規則なメッシュパターンを示す図である。
【図６】本発明の実施例による互いに異なる閉図形を有するユニットパターンが結合した不規則なメッシュパターンを示す図である。
【発明を実施するための形態】
【００２４】
本発明の目的、特定の長所および新規の特徴は、添付図面に係る以下の詳細な説明および好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２５】
以下、添付図面を参照して、本発明の好ましい実施例を詳細に説明する。
【００２６】
図１は、本発明の実施例によるタッチセンサを示す図であり、図２は、本発明の実施例によるタッチセンサの電極パターンを示す図である。
【００２７】
本発明によるタッチセンサ１０は、ウィンドウ基板１００と、ベース基板上に形成される電極パターンと、を含み、前記ウィンドウ基板１００に対向するように接合するセンサモジュール２００を含むことができ、タッチセンサ１０によるユーザの入力に対する出力値を示し、タッチセンサ１０の一面と接合するディスプレイモジュール１４０を含むものである（図１参照）。
【００２８】
ウィンドウ基板１００は、中央領域Ｒ２と、前記中央領域Ｒ２を囲んで形成される周縁領域Ｒ１と、を含み、タッチセンサ１０の最外側に配置されてユーザのタッチの入力を受けると同時に、強化ガラス等で形成されて保護層の機能を果たすことができる。なお、ウィンドウ基板１００の背面には、ベゼル部（図示せず）と電極パターンを形成することがあるため、ウィンドウ基板１００とベゼル部（図示せず）または電極パターンとの接着力を向上させるために、ウィンドウ基板１００の背面に高周波処理またはプライマー（ｐｒｉｍｅｒ）処理などを施して表面処理層（図示せず）を形成してもよい。
【００２９】
センサモジュール２００は、ベース基板２１０、２５０と、前記ベース基板２１０、２５０上に形成された電極パターン２２０、２３０と、電極パターン２２０、２３０の一端に形成されて電気的信号を伝達する電極配線２４０と、を含むことができる（図２参照）。
【００３０】
ベース基板２１０、２５０は、所定強度以上を有する材質として、透明でディスプレイモジュール１４０の映像が出力されることができるものであれば特に限定されないが、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましい。また、ベース基板２１０、２５０の一面には電極パターン２２０、２３０が形成されることがあるため、ベース基板２１０、２５０と電極パターン２２０、２３０との接着力を向上させるために、ベース基板２１０、２５０の一面に高周波処理またはプライマー（ｐｒｉｍｅｒ）処理などを施して表面処理層を形成してもよい。
【００３１】
また、センサモジュール２００は、ｉ）第１ベース基板２１０の一面に、一方向に互いに平行に形成される第１電極パターン２２０と、第１ベース基板２１０の他面に、一方向に前記第１電極パターン２２０と交差する方向に互いに平行に形成される第２電極パターン２３０と、を含むことができ（図２の（Ａ）参照）、ｉｉ）第１ベース基板２１０の一面に、一方向に互いに平行に形成される第１電極パターン２２０と、第２ベース基板２５０の一面に、前記第１電極パターン２２０と交差する方向に互いに平行に形成される第２電極パターン２３０（図２の（Ｂ）参照）と、ｉｉｉ）第１および２電極パターン２２０、２３０の一端に電気的に連結された電極配線２４０と、を含むことができるが、これに限定されるものではない。
【００３２】
第１および２電極パターン２２０、２３０は、タッチの入力手段によって信号を発生して、制御部（図示せず）からタッチ座標を認識させる機能を果たし、少なくとも一つ以上のユニットパターン２２１、２２２、２２３が連続的に連結されてなり、前記ユニットパターン２２１、２２２、２２３内には閉図形２２１ｃ、２２２ｃ、２２３ｃを不規則に配列することができる。
【００３３】
図２では、第１電極パターン２２０と第２電極パターン２３０がバー（ｂａｒ）パターンに示されているが、特に限定されるものではない。
【００３４】
また、第１および２電極パターン２２０、２３０は、乾式工程、湿式工程またはダイレクト（ｄｉｒｅｃｔ）パターニング工程により形成することができる。ここで、乾式工程は、スパッタリング（Ｓｐｕｔｔｅｒｉｎｇ）、蒸着（Ｅｖａｐｏｒａｔｉｏｎ）などを含み、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを含み、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを含む。
【００３５】
また、第１および２電極パターン２２０、２３０は、少なくとも一つ以上のユニットパターンが連続的に連結されてなる不規則な（ランダム）メッシュパターンであってもよく、前記ユニットパターンは、多角形に形成された少なくとも一つ以上の前記閉図形が不規則に配列されてもよく、前記閉図形の頂点の個数と、前記閉図形と同じ個数の四角形の頂点の個数とが互いに異なってもよい。ここで、ユニットパターンは、互いに隣接するユニットパターン間を電気的に連結するための少なくとも一つ以上の金属細線２２１ａ、２２２ａ、２２３ａを含むことができ、金属細線２２１ａ、２２２ａ、２２３ａは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）、ニッケル（Ｎｉ）またはこれらの組み合わせにより形成することができ、これに関する詳細な説明は後述する。
【００３６】
接着層１１０、１３０は、タッチセンサ１０の構成要素を互いに接着させる機能を果たすものであり、ディスプレイモジュール１４０を介して出力される画像をユーザが認識することを妨害しないために透明な材料を用いることが好ましく、例えば、光学透明接着剤（Ｏｐｔｉｃａｌ  Ｃｌｅａｒ  Ａｄｈｅｓｉｖｅ；ＯＣＡ）を用いてもよい。
【００３７】
ディスプレイモジュール１４０は、接着層１１０、１３０を介してタッチセンサ１０の一面に接合し、データを視覚的に画面に出力する表示装置であって、主に、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）などのものからなってもよく、必ずしもこれに限定されるものではない。
【００３８】
以下、図３から図６を参照して、本発明によるタッチセンサの電極パターンを構成するユニットパターンについてより詳細に説明する。
【００３９】
以下、ユニットパターンは、不規則な（ランダム）メッシュパターンを構成する単位パターンを意味し、周縁辺は、前記ユニットパターンの周縁を囲む線を意味し、閉図形は、ユニットパターン内で金属細線と前記周縁辺によって形成される多角形等を意味することができるが、これに限定されるものではない。
【００４０】
また、第１および２電極パターンは、同じ構造のユニットパターンを含むことができるため、以下、第１電極パターンを構成するユニットパターンを基準に説明する。
【００４１】
図３は、従来の規則的なメッシュパターンに形成された電極パターンで発生しうるモアレ現象を示す図であり、図４は、本発明の実施例による同じ閉図形を有するユニットパターンが結合した不規則なメッシュパターンを示す図であり、図５および図６は、本発明の実施例による互いに異なる閉図形を有するユニットパターンが結合した不規則なメッシュパターンを示す図である。
【００４２】
図４を参照すると、従来、一般的なメッシュパターンとして規則的な配列を有する二つのパターンを互いに傾斜するように形成したときに、視覚的にモアレ現象が現れることが分かる。モアレ現象は、所定の間隔を有する模様が繰り返して重なると、どこでも波型模様が生じることであって、かかるモアレ現象がタッチセンサの電極パターン２２０、２３０上に発生すると、不透明な金属材質からなるメッシュパターンがユーザに強調して認識されることでタッチセンサ視認性が低下して、タッチセンサ１０と結合するディスプレイ部１４０から出力された映像の視認性にも影響を与える可能性があるという問題が発生した。
【００４３】
したがって、本発明のタッチセンサ１０の電極パターン２２０、２３０は、少なくとも一つ以上のユニットパターン２２１、２２２、２２３が連続的に連結されてなり、ユニットパターン２２１、２２２、２２３内には、閉図形２２１ｃ、２２２ｃ、２２３ｃが不規則に配列され、ユニットパターン２２１、２２２、２２３は、前記閉図形２２１ｃ、２２２ｃ、２２３ｃを形成する少なくとも一つ以上の金属細線２２１ａ、２２２ａ、２２３ａと、前記金属細線２２１ａ、２２２ａ、２２３ａを囲む周縁辺２２１ｂ、２２２ｂ、２２３ｂと、を含み、互いに隣接する前記ユニットパターン２２１、２２２、２２３間の前記金属細線２２１ａ、２２２ａ、２２３ａを互いに電気的に連結することができる。
【００４４】
また、電極パターン２２０、２３０は、互いに異なる閉図形２２１ｃ、２２２ｃ、２２３ｃを有する少なくとも二つ以上のユニットパターン２２１、２２２、２２３を連続的に連結することができ（図５および図６参照）、同じ閉図形２２１ｃ、２２２ｃ、２２３ｃを有する少なくとも二つ以上のユニットパターン２２１を連続的に連結することができ（図４参照）、前記ユニットパターン２２１、２２２、２２３において、前記金属細線２２１ａ、２２２ａ、２２３ａと前記周縁辺２２１ｂ、２２２ｂ、２２３ｂとが接する連結点が前記周縁辺２２１ｂ、２２２ｂ、２２３ｂに少なくとも一つ以上形成され、互いに隣接する前記ユニットパターン２２１、２２２、２２３間の互いに対応する前記連結点ａを介して前記金属細線２２１ａ、２２２ａ、２２３ａを電気的に連結することができる。ここで、ユニットパターン２２１、２２２、２２３において、前記金属細線２２１ａ、２２２ａ、２２３ａと前記周縁辺２２１ｂ、２２２ｂ、２２３ｂとが接する連結点ａを前記周縁辺２２１ｂ、２２２ｂ、２２３ｂの中心点に形成することができる。
【００４５】
すなわち、図４に示すように、本発明によるタッチセンサ１０の電極パターン２２０、２３０は、同じ閉図形２２１ｃを有する少なくとも二つ以上の第１ユニットパターン２２１を連続的に連結することができ、第１ユニットパターン２２１は、前記閉図形２２１ｃを形成する少なくとも一つ以上の金属細線２２１ａと、前記金属細線２２１ａを囲む周縁辺２２１ｂと、を含むことができる。
【００４６】
ここで、第１ユニットパターン２２１の周縁辺２２１ｂには、前記金属細線２２１ａと前記周縁辺２２１ｂとが接する連結点ａが形成され、互いに隣接する第１ユニットパターン２２１間には、互いに対応する前記連結点ａを介して前記金属細線２２１ａを電気的に連結することができ、前記連結点ａは、前記周縁辺２２１ｂの中心点に形成することができる。
【００４７】
したがって、本発明によるタッチセンサ１０の電極パターン２２０、２３０は、同じ閉図形２２１ｃを有する第１ユニットパターン２２１を互いに電気的に連結することができる様々な形態の不規則な（ランダム）メッシュパターン２２４に形成することができ、第１ユニットパターン２２１は、図４に示す方式に限定されず、様々な方式で結合することができる。
【００４８】
また、図５に示すように、本発明によるタッチセンサ１０の電極パターン２２０、２３０は、互いに異なる閉図形２２１ｃまたは２２２ｃを有する少なくとも二つ以上の第１ユニットパターン２２１と第２ユニットパターン２２２を連続的に連結することができ、第１ユニットパターン２２１と第２ユニットパターン２２２は、前記閉図形２２１ｃまたは２２２ｃを形成する少なくとも一つ以上の金属細線２２１ａまたは２２２ａと、前記金属細線２２１ａまたは２２２ａを囲む周縁辺２２１ｂまたは２２２ｂと、を含むことができる。
【００４９】
ここで、第１ユニットパターン２２１と第２ユニットパターン２２２の周縁辺２２１ｂまたは２２２ｂには、前記金属細線２２１ａまたは２２２ａと前記周縁辺２２１ｂまたは２２２ｂとが接する連結点ａが形成され、互いに隣接する第１ユニットパターン２２１と第２ユニットパターン２２２との間において、互いに対応する前記連結点ａを介して前記金属細線２２１ａまたは２２２ａを電気的に連結することができ、前記連結点ａは、前記周縁辺２２１ｂまたは２２２ｂの中心点に形成することができる。
【００５０】
したがって、本発明によるタッチセンサ１０の電極パターン２２０、２３０は、互いに異なる閉図形２２１ｃまたは２２２ｃを有する第１ユニットパターン２２１および第２ユニットパターン２２２を互いに電気的に連結することができる様々な形態の不規則な（ランダム）メッシュパターン２２５に形成することができ、第１ユニットパターン２２１と第２ユニットパターン２２２は、図５に示す方式に限定されず、互いに様々な方式で結合することができる。
【００５１】
さらに、図６に示すように、本発明によるタッチセンサ１０の電極パターン２２０、２３０は、互いに異なる閉図形２２１ｃ乃至２２３ｃを有する少なくとも二つ以上の第１ユニットパターン乃至第３ユニットパターン２２１、２２２、２２３を連続的に連結することができ、第１ユニットパターン乃至第３ユニットパターン２２１、２２２、２２３は、前記閉図形２２１ｃ乃至２２３ｃを形成する少なくとも一つ以上の金属細線２２１ａ乃至２２３ａと、前記金属細線２２１ａ乃至２２３ａを囲む周縁辺２２１ｂ乃至２２３ｂと、を含むことができる。
【００５２】
ここで、第１ユニットパターン乃至第３ユニットパターン２２１、２２２、２２３の周縁辺２２１ｂ乃至２２３ｂには、前記金属細線２２１ａ乃至２２３ａと前記周縁辺２２１ｂ乃至２２３ｂとが接する連結点ａが形成され、互いに隣接する第１ユニットパターン乃至第３ユニットパターン２２１、２２２、２２３の間において、互いに対応する前記連結点ａを介して前記金属細線２２１ａ乃至２２３ａを電気的に連結することができ、前記連結点ａは、前記周縁辺２２１ｂ乃至２２３ｂの中心点に形成することができる。
【００５３】
したがって、本発明によるタッチセンサ１０の電極パターン２２０、２３０は、互いに異なる閉図形２２１ｃ乃至２２３ｃを有する第１ユニットパターン乃至第３ユニットパターン２２１、２２２、２２３を互いに電気的に連結することができる様々な形態の不規則な（ランダム）メッシュパターン２２６に形成することができ、第１ユニットパターン２２１乃至第３ユニットパターン２２３は、図６に示す方式に限定されず、互いに様々な方式で結合することができる。
【００５４】
上述したように、本発明によるタッチセンサは、電極パターンをユーザが認識することを低減することで、タッチセンサの全体視認性を向上させることができ、金属メッシュパターン同士の間で発生しうるモアレ現象を防止することで、電極パターンの視認性を低減して、タッチセンサの全体視認性を向上させることができる。
【００５５】
また、タッチセンサに結合するディスプレイ部上のブラックマトリックスと電極パターンが重なることで発生しうるモアレ現象を予め防止することで、ディスプレイ部から出力される映像に画質をより改善することができる。
【００５６】
また、本発明によるタッチセンサの電極パターンは、多角形の閉図形が不規則に配列されたユニットパターンの連続的な連結により不規則な（ランダム）メッシュパターンに形成することで、大面積の電極パターンの形成工程を単純化し、工程時間を短縮することができ、且つ、サイズ分布が均一で重複しない不規則なメッシュパターンにより、前記電極パターンの視認性を改善することができる。
【００５７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００５８】
本発明の単純な変形乃至変更はいずれも本発明の領域に属するものであり、本発明の具体的な保護範囲は添付の特許請求の範囲により明確になるであろう。
【産業上の利用可能性】
【００５９】
本発明は、タッチセンサに適用可能である。
【符号の説明】
【００６０】
１０  タッチセンサ
１００  ウィンドウ基板
１１０、１３０  接着層
１４０  ディスプレイモジュール（ディスプレイ部）
２００  センサモジュール
２１０  第１ベース基板（ベース基板）
２２０  第１電極パターン（電極パターン）
２２１  第１ユニットパターン（ユニットパターン）
２２１ａ  金属細線
２２１ｂ  周縁辺
２２１ｃ  閉図形
２２２  第２ユニットパターン（ユニットパターン）
２２２ａ  金属細線
２２２ｂ  周縁辺
２２２ｃ  閉図形
２２３  第３ユニットパターン（ユニットパターン）
２２３ａ  金属細線
２２３ｂ  周縁辺
２２３ｃ  閉図形
２２４、２２５、２２６  不規則な（ランダム）メッシュパターン
２３０  第２電極パターン（電極パターン）
２４０  電極配線
２５０  第２ベース基板（ベース基板）
【図１】
2015170353.tif 000003
【図２】
2015170353.tif 000004
【図３】
2015170353.tif 000005
【図４】
2015170353.tif 000006
【図５】
2015170353.tif 000007
【図６】
2015170353.tif 000008